(57)【要約】【課題】  広い範囲の温度、湿度下で安定に液滴を吐出でき、高温高湿下においても、直径の過大な液滴が吐出されることのない液滴吐出装置の提供。【解決手段】周囲の温湿度を検出する温湿度検出手段と、予め定められた温湿度条件である常温常湿条件下と同一の液滴吐出条件が得られる駆動条件と温湿度との関係が記憶された記憶手段と、前記温湿度検出手段における検出結果に対応する駆動条件を前記記憶手段から呼び出して圧電素子を駆動する駆動制御手段とを備える液滴吐出装置。【選択図】        図４
2007076181.tif 000002
【特許請求の範囲】
【請求項１】
圧電素子を駆動して液滴を吐出する液滴吐出装置であって、
周囲の温湿度を検出する温湿度検出手段と、
予め定められた温湿度条件である常温常湿条件下と同一の液滴吐出条件が得られる駆動条件と温湿度との関係が記憶された記憶手段と、
前記温湿度検出手段における検出結果に対応する駆動条件を前記記憶手段から呼び出して圧電素子を駆動する駆動制御手段と
を備えてなることを特徴とする液滴吐出装置。
【請求項２】
前記記憶手段においては、所定個数の温度区分と、所定個数の湿度区分と、前記温度区分と湿度区分との組み合わせの夫々に対応する駆動条件との関係として前記温湿度と駆動条件の関係が記憶されてなる請求項１に記載の液滴吐出装置。
【請求項３】
前記駆動制御手段は、
前記温湿度検出手段で検出された温度が、前記記憶手段に記憶された温度区分の何れに属するかを判定し、
前記温度が属すると判定された温度区分に対応する駆動条件を前記記憶手段から呼び出して駆動条件の仮選択を行ない、
次に、前記温湿度検出手段で検出された湿度が、前記記憶手段に記憶された湿度区分の何れに属するかを判定し、
先に仮選択された駆動条件のうちの、前記湿度が属すると判定された湿度区分に対応するものを駆動条件として本選択する
請求項２に記載の液滴吐出装置。
【請求項４】
前記記憶手段においては、前記駆動条件として、前記圧電素子を駆動する交番電流の波形である駆動波形が記憶されてなり、
前記駆動制御手段においては、前記温湿度検出手段で検出された温湿度に対応する駆動波形を前記記憶手段から呼び出す請求項１〜３の何れか１項に記載の液滴吐出装置。
【請求項５】
前記記憶手段においては、前記駆動波形の規定条件として、前記圧電素子を駆動する交番電流の電圧である駆動電圧が記憶されてなる請求項４に記載の液滴吐出装置。
【請求項６】
前記記憶手段においては、前記駆動電圧の上下限値を同じ割合で変化させることにより、駆動波形を変更している請求項５に記載の液滴吐出装置。
【請求項７】
前記記憶手段においては、高温、常温、低温の３つの温度区分と、高湿、常湿、低湿の３つの湿度区分とが記憶されてなり、
駆動電圧の上下限値の絶対値は、
高温と高湿との組み合わせである高温高湿下では、常温と常湿との常温常湿下の駆動電圧よりも低く、
高温と低湿との組み合わせである高温低湿下、および低温と高湿との組み合わせである低温高湿下では、前記高温高湿下よりも高く、常温常湿下よりも低く、
低温と低湿との組み合わせである低温低湿下では、常温常湿下よりも高く
設定されてなる請求項６に記載の液滴吐出装置。
【請求項８】
前記温湿度検出手段は、周囲の温度を測定する温度センサおよび湿度を測定する湿度センサである請求項１〜７の何れか１項に記載の液滴吐出装置。
【請求項９】
圧電素子を駆動して液滴を吐出する液滴吐出装置であって、
液滴を吐出しないときの前記圧電素子の静電容量を測定する静電容量測定手段と、
前記液滴として吐出される吐出液の温度を測定する吐出液温度測定手段と、
常温常湿下における静電容量および吐出液温度下と同様の液滴吐出条件が得られる圧電素子の駆動条件と前記静電容量と前記吐出液の温度との関係とが記憶されてなる記憶手段と、
前記静電容量測定手段で測定された圧電素子の静電容量と前記吐出液温度測定手段で測定された吐出液温度とに対応する駆動条件を前記記憶手段から選択して圧電素子を駆動する駆動制御手段とを
備えてなることを特徴とする液滴吐出装置。
【請求項１０】
前記記憶手段においては、前記駆動条件として、前記圧電素子を駆動する交番電流の波形である駆動波形が記憶されてなり、
前記駆動制御手段においては、前記静電容量測定手段で測定された圧電素子の静電容量と前記吐出液温度測定手段で測定された吐出液温度とに対応する駆動波形を前記記憶手段から呼び出す請求項９に記載の液滴吐出装置。
【請求項１１】
前記記憶手段においては、前記駆動波形の規定条件として、前記圧電素子を駆動する交番電流の電圧である駆動電圧が記憶されてなる請求項１０に記載の液滴吐出装置。
【請求項１２】
前記記憶手段においては、前記駆動電圧の上下限値を同じ割合で変化させることにより、駆動波形を変更している請求項１１に記載の液滴吐出装置。
【請求項１３】
前記温湿度検出手段、前記静電容量測定手段、および前記吐出液温度測定手段は、遅くとも液滴吐出装置の立ち上げ時には動作を開始する請求項１〜１２の何れか１項に記載の液滴吐出装置。
【発明の詳細な説明】
【技術分野】
【０００１】
本発明は、液滴吐出装置にかかり、特に、高温高湿下においても常温常湿下と同様の条件で液滴を吐出できる液滴吐出装置に関する。
【背景技術】
【０００２】
圧電素子を用いたインクジェット記録装置においては、周囲の温度や湿度が高くなると、インクの粘度が低下するために、インクの流動性が上昇するとともに、圧電素子の変異量が大きくなる。また、圧電素子の電極間の抵抗が減少し、駆動電流が増加する。
【０００３】
インクの流動性が上昇すると、同一の駆動電圧を圧電素子に印加したときに記録ヘッドから吐出されるインク滴が大きくなるから、ドット径も大きくなり、画質が劣化する。同様に、圧電素子の変異量が大きくなると、記録ヘッドから吐出されるインク滴も大きくなり、画質が劣化する。更に、駆動電圧が同一の場合に駆動電流が増加すると、リーク電流も増加し、圧電素子の絶縁破壊が起こる可能性がある。
【０００４】
そこで、圧電素子の周囲の温湿度を検出して得られた検出結果に基づいて圧電素子の駆動条件を制御することが検討された。このようなインクジェット記録装置としては、
(1)温度検知手段と湿度検知手段と予備吐出手段とを有し、温度検知手段と湿度検知手段との検知結果に基づいて前記予備吐出手段を制御するもの（特許文献１）、
(2)湿度検出手段を配置し、前記湿度検出手段で高湿度状態であると検出したときに電界強度の時間的な積算量が小さくなるように駆動波形を制御するもの（特許文献２）、
(3)インクジェットヘッドの圧力発生部材の近傍に湿度検出手段を配置するか、または圧力発生部材そのものを湿度検出手段として使用し、前記湿度検出手段における検出結果に基づいて前記インクジェットヘッドの駆動制限を行ったり、ヘッド除湿を行ったりするもの（特許文献３）、
(4)飛翔インクの流速を検出し、その流速が常に一定になるように検出値に応じてヘッド駆動電圧を制御して温度補償を行うようにしたもの（特許文献４）、
(5)電歪素子に印加する電圧を温度変化に応じて変化させるもの（特許文献５）、
(6)インクジェット記録ヘッドの温度または室温を検出する温度検出手段と、前記温度検出手段の出力に基づいて圧電体への印過電圧を制御する制御手段とを備えるもの（特許文献６）、
(7)環境温度の変化に応じて電気−機会振動変換素子に加える電気信号の振幅を制御する駆動制御回路を具備するもの（特許文献７）、
(8)印字ヘッドの静電容量を測定し、その結果に基づいて印字ヘッドの駆動電圧を選択するもの（特許文献８）、
(9)圧電素子の静電容量を検出し、検出した静電容量に従って圧電素子駆動信号の波形を制御手段によって変化させるもの（特許文献９）
などがある。
【特許文献１】特開２０００−１０８３５３号公報
【特許文献２】特開２０００−１９０５２８号公報
【特許文献３】特開平５−２２０９５４号公報
【特許文献４】特開昭５５−０７３５６６号公報
【特許文献５】特開昭５６−６０２６１号公報
【特許文献６】特開昭５６−１３６３７３号公報
【特許文献７】特開昭５６−５５２６３号公報
【特許文献８】特開平１１−０９９６４８号公報
【特許文献９】特開平０３−１４６３４６号公報
【発明の開示】
【発明が解決しようとする課題】
【０００５】
インクジェット記録装置においては、このように温度または湿度のどちらかを検出し、得られた検出結果に基づいて圧電素子の振幅を制御している。
【０００６】
しかしながら、上記特許文献２〜９に記載のインクジェット記録装置においては、温度と湿度との両方を検出しているわけではないから、高温高湿時においては、大きなインク滴が吐出されてドットが拡大することによる画質の低下が避けられなかった。
【０００７】
また、特許文献１に記載のインクジェット吐出装置においては、温度と湿度とを検出しているが、前記検出結果は予備吐出手段の制御に用いられるのみであり、記録ヘッドの制御には直接は使用されていない。
【０００８】
本発明は、上記問題を解決すべく成されたものであり、広い範囲の温度、湿度下で安定に液滴を吐出でき、高温高湿下においても、直径の過大な液滴が吐出されることのない液滴吐出装置の提供を目的とする。
【課題を解決するための手段】
【０００９】
請求項１に記載の発明は、圧電素子を駆動して液滴を吐出する液滴吐出装置であって、周囲の温湿度を検出する温湿度検出手段と、予め定められた温湿度条件である常温常湿条件下と同一の液滴吐出条件が得られる駆動条件と温湿度との関係が記憶された記憶手段と、前記温湿度検出手段における検出結果に対応する駆動条件を前記記憶手段から呼び出して圧電素子を駆動する駆動制御手段とを備えてなることを特徴とする液滴吐出装置に関する。
【００１０】
前記液滴吐出装置においては、複数の温湿度の組み合わせと、常温常湿条件下と同一の液滴吐出条件が得られる駆動条件との関係を予め記憶装置に記憶させておき、前記温湿度検出手段における温湿度の検出結果に対応する駆動条件を前記記憶手段から呼び出して圧電素子を駆動している。
【００１１】
したがって、高温高湿度下、低温高湿度下、高温低湿度下、低温低湿度下のいずれにおいても常温常湿度下と同様の液滴吐出条件が得られるから、高温高湿度下において、吐出される液滴の径が過大になることが防止される。また、リーク電流が増加して圧電素子の絶縁破壊が起こることも防止される。
【００１２】
請求項２に記載の発明は、前記記憶手段において、所定個数の温度区分と、所定個数の湿度区分と、前記温度区分と湿度区分との組み合わせの夫々に対応する駆動条件との関係として前記温湿度と駆動条件の関係が記憶されてなる請求項１に記載の液滴吐出装置に関する。
【００１３】
前記液滴吐出装置においては、複数の温度区分および湿度区分からなるマトリクスの夫々に対応して駆動条件が記憶されている。
【００１４】
したがって、駆動制御手段においては、温湿度検出手段で検出した周囲の温度および湿度を前記マトリクスに当て嵌め、前記温度および湿度が当て嵌まるマトリクスに対応する駆動条件を記憶手段から呼び出せばよいから、駆動制御手段において周囲の温度および湿度に対して最適な駆動条件を求めるロジックが簡略化できる。
【００１５】
請求項３に記載の発明は、前記駆動制御手段が、前記温湿度検出手段で検出された温度が、前記記憶手段に記憶された温度区分の何れに属するかを判定し、前記温度が属すると判定された温度区分に対応する駆動条件を前記記憶手段から呼び出して駆動条件の仮選択を行ない、次に、前記温湿度検出手段で検出された湿度が、前記記憶手段に記憶された湿度区分の何れに属するかを判定し、先に仮選択された駆動条件のうちの、前記湿度が属すると判定された湿度区分に対応するものを駆動条件として本選択する請求項２に記載の液滴吐出装置に関する。
【００１６】
前記液滴吐出手段においては、先ず、温度の検出結果に基づいて駆動条件を駈り選択し、次に湿度の検出結果に基づき、先に仮選択された駆動条件の中から本選択を行う。
【００１７】
したがって、前記温湿度検出手段で温度と湿度とを同時にサンプリングしなくてもよいから、短時間で大きく変動する温度については短い周期で検出を行い、短時間ではそれ程大きく変動しない湿度については、比較的長い間隔で検出を行うなどの運転条件を採ることができる。
【００１８】
請求項４に記載の発明は、前記記憶手段においては、前記駆動条件として、前記圧電素子を駆動する交番電流の波形である駆動波形が記憶されてなり、前記駆動制御手段においては、前記温湿度検出手段で検出された温湿度に対応する駆動波形を前記記憶手段から呼び出す請求項１〜３の何れか１項に記載の液滴吐出装置に関する。
【００１９】
圧電素子を駆動する駆動条件のうち、吐出される液滴の径に最も影響を及ぼすのは、駆動波形であると考えられる。
【００２０】
前記液滴吐出装置においては、駆動条件として駆動波形を用いているから、吐出される液滴の径を最も効果的に制御できる。
【００２１】
請求項５に記載の発明は、前記記憶手段において、前記駆動波形の規定条件として、前記圧電素子を駆動する交番電流の電圧である駆動電圧が記憶されてなる請求項４に記載の液滴吐出装置に関する。
【００２２】
圧電素子を駆動して液滴を吐出する液滴吐出装置においては、吐出される液滴の径は、圧電素子の振幅によって最も大きく影響されると考えられる。
【００２３】
ここで、駆動波形は、駆動電圧の他、初期電圧、駆動後電圧、周期、電圧の立上がりおよび立下りの勾配などによって規定されるが、これらの条件のうちで、圧電素子の振幅に最も大きな影響を及ぼすものは駆動電圧であると考えられる。
【００２４】
前記液滴吐出装置においては、駆動波形の規定条件として駆動電圧を用いているから、吐出される液滴の径を最も効果的に制御できると考えられる。
【００２５】
請求項６に記載の発明は、前記記憶手段において、前記駆動電圧の上下限値を同じ割合で変化させることにより駆動波形を変更している請求項５に記載の液滴吐出装置に関する。
【００２６】
圧電素子を駆動して液滴を吐出する液滴吐出装置においては、正の駆動電圧が印加されると液滴を吐出する吐出室に吐出液が吸引され、負の駆動電圧が印加されると吐出室から吐出液が液滴として吐出される。
【００２７】
したがって、駆動電圧の上限値と下限値とにより、吐出室への吐出液の吸引量と、吐出室からの吐出液の吐出量とが規定される。
【００２８】
前記液滴吐出装置においては、駆動電圧の上限値と下限値とを同一の割合で変化させることにより、駆動波形を変更しているから、駆動電圧と吐出液の吸引量と吐出量との間に一定の関係が成立する。
【００２９】
したがって、吐出液の吐出量をより正確に制御できる。
【００３０】
請求項７に記載の発明は、前記記憶手段において、高温、常温、低温の３つの温度区分と、高湿、常湿、低湿の３つの湿度区分とが記憶されてなり、駆動電圧の上下限値の絶対値は、高温と高湿との組み合わせである高温高湿下では、常温と常湿との常温常湿下の駆動電圧よりも低く、高温と低湿との組み合わせである高温低湿下、および低温と高湿との組み合わせである低温高湿下では、前記高温高湿下よりも高く、常温常湿下よりも低く、低温と低湿との組み合わせである低温低湿下では、常温常湿下よりも高く設定されてなる請求項６に記載の液滴吐出装置に関する。
【００３１】
前記液滴吐出手段においては、駆動電圧の上下限値の差を高温高湿下についてはＥhh、高温低湿下についてはＥhl、低温高湿下についてはＥlh、低温低湿下についてはＥll、常温常湿下についてはＥmmとすると、
Ｅhh＜Ｅhl、Ｅlh＜Ｅmm
の関係が成り立つように駆動電圧を設定している。
【００３２】
ここで、駆動電圧の上下限値の差が大きければ吐出液の吐出量は大きく、前記上下限値が小さければ吐出液の吐出量は小さくなる。
【００３３】
したがって、高温低湿下および低温高湿下では常温常湿下よりも吐出液の吐出量を小さく設定でき、高温高湿下では、高温低湿下および低温高湿下よりも吐出液の吐出量を更に小さく設定できる。そして、低温低湿下では常温常湿下よりも吐出液の吐出量を大きく設定できる。
【００３４】
請求項８に記載の発明は、前記温湿度検出手段が周囲の温度を測定する温度センサおよび湿度を測定する湿度センサである請求項１〜７の何れか１項に記載の液滴吐出装置に関する。
【００３５】
前記液滴吐出装置においては、周囲の温度および湿度を温度センサおよび湿度センサで実際に測定し、その結果に基づいて記憶手段から最適な駆動条件を読み出しているから、実際の温湿度に基づいた駆動条件の設定が可能である。
【００３６】
請求項９に記載の発明は、圧電素子を駆動して液滴を吐出する液滴吐出装置であって、液滴を吐出しないときの前記圧電素子の静電容量を測定する静電容量測定手段と、前記液滴として吐出される吐出液の温度を測定する吐出液温度測定手段と、常温常湿下における静電容量および吐出液温度下と同様の液滴吐出条件が得られる圧電素子の駆動条件と前記静電容量と前記吐出液の温度との関係とが記憶されてなる記憶手段と、前記静電容量測定手段で測定された圧電素子の静電容量と前記吐出液温度測定手段で測定された吐出液温度とに対応する駆動条件を前記記憶手段から選択して圧電素子を駆動する駆動制御手段とを備えてなることを特徴とする液滴吐出装置に関する。
【００３７】
圧電素子を駆動して液滴を吐出する液滴吐出装置においては、周囲の温度および湿度の少なくとも一方が上昇すれば、圧電素子の静電容量も増大する。一方、周囲の温度および湿度が低下すれば、圧電素子の静電容量も減少する。
【００３８】
そして、吐出液の温度が上昇すると吐出液の粘度が低下するから、同一の駆動電圧を圧電素子に印加したときに吐出される液滴の径も増大する。一方、吐出液の温度が低下すると吐出液の粘度は増大するから、液滴の径も縮小する。
【００３９】
前記液滴吐出装置においては、周囲の温湿度を測定し、得られた測定値に基づいて最適な駆動条件を選択する代わりに、圧電素子の静電容量と吐出液の温度とに基づいて最適な駆動条件を選択しているから、請求項１に記載の液滴吐出装置と同様に、温度や湿度によらず、常温常湿下と同様の吐出条件で液滴を吐出できる。また、周囲の温湿度を測定する必要がない。
【００４０】
請求項１０に記載の発明は、前記記憶手段においては、前記駆動条件として、前記圧電素子を駆動する交番電流の波形である駆動波形が記憶されてなり、前記駆動制御手段においては、前記静電容量測定手段で測定された圧電素子の静電容量と前記吐出液温度測定手段で測定された吐出液温度とに対応する駆動波形を前記記憶手段から呼び出す請求項９に記載の液滴吐出装置に関する。
【００４１】
請求項４のところで述べたように、圧電素子を駆動する駆動条件のうち、吐出される液滴の径に最も影響を及ぼすのは、駆動波形であると考えられる。
【００４２】
前記液滴吐出装置においては、駆動条件として駆動波形を用いているから、吐出される液滴の径を最も効果的に制御できる。
【００４３】
請求項１１に記載の発明は、前記記憶手段においては、前記駆動波形の規定条件として、前記圧電素子を駆動する交番電流の電圧である駆動電圧が記憶されてなる請求項１０に記載の液滴吐出装置に関する。
【００４４】
請求項５のところで述べたように、圧電素子を駆動して液滴を吐出する液滴吐出装置においては、吐出される液滴の径は、圧電素子の振幅によって最も大きく影響されると考えられる。そして、圧電素子の振幅に最も大きな影響を及ぼすものは駆動電圧であると考えられる。
【００４５】
前記液滴吐出装置においては、駆動波形の規定条件として駆動電圧を用いているから、吐出される液滴の径を最も効果的に制御できると考えられる。
【００４６】
請求項１２に記載の発明は、前記記憶手段において、前記駆動電圧の上下限値を同じ割合で変化させることにより、異なる駆動波形を設定する請求項１１に記載の液滴吐出装置に関する。
【００４７】
請求項６の液滴吐出装置と同様、前記液滴吐出装置においても、駆動電圧の上限値と下限値とを同一の割合で変化させることにより、駆動波形を変更しているから、駆動電圧と吐出液の吸引量と吐出量との間に一定の関係が成立する。
【００４８】
したがって、吐出液の吐出量をより正確に制御できる。
【００４９】
請求項１３に記載の発明は、前記温湿度検出手段、前記静電容量測定手段、および前記吐出液温度測定手段は、遅くとも液滴吐出装置の立ち上げ時には動作を開始する請求項１〜１２の何れか１項に記載の液滴吐出装置に関する。
【００５０】
前記液滴吐出装置においては、前記温湿度検出手段、前記静電容量測定手段、および前記吐出液温度測定手段は、遅くとも液滴吐出装置の立ち上げ時には動作を開始するから、液滴の吐出開始時から、液滴の径が温湿度や吐出液温度によらずに一定になるように制御される。
【発明の効果】
【００５１】
以上説明したように本発明によれば、広い範囲の温度、湿度下で安定に液滴を吐出でき、高温高湿下においても、直径の過大な液滴が吐出されることのない液滴吐出装置が提供される。
【発明を実施するための最良の形態】
【００５２】
１．実施形態１
本発明に係る液滴吐出装置の一例であるインクジェット記録装置の一例について以下に説明する。
【００５３】
実施形態１に係るインクジェット記録装置１２は、図１に示すように、筐体１４と、筐体１４内の底部に設けられ、用紙Ｐを供給する給紙トレイ１６と、給紙トレイ１６から供給された用紙Ｐに画像を記録する画像記録部３０と、画像記録部３０で画像が記録された用紙Ｐが排出される排紙トレイ４６とを有する。
【００５４】
画像記録部３０と給紙トレイ１６との間には、所定の給紙経路２２に沿って用紙Ｐを搬送する一群の給紙ローラ対２０が設けられ、画像記録部３０と排紙トレイ４６との間には、所定の排紙経路４４に沿って用紙Ｐを搬送する一群の排紙ローラ対４２が設けられている。また、最も上流側の給紙ローラ対２０と給紙トレイ１６との間には、用紙Ｐを１枚づつ取り出すピックアップローラ１８が設けられている。
【００５５】
画像記録部３０と給紙トレイ１６との間には、また、画像記録部３０で上側の面に画像が記録され、排紙経路４４に送り出された用紙Ｐを、搬送経路５２に沿って画像記録部３０の入り口に戻す一群のローラ対５０が設けられている。
【００５６】
インクジェット記録装置１２は、さらに、画像記録部３０、給紙ローラ対２０、および排紙ローラ対４２などを制御する中央制御コンピュータ１０を有する。
【００５７】
画像記録部３０は、図１〜図３に示すように、黄色（Ｙ）、マゼンタ（Ｍ）、シアン（Ｃ）、黒（Ｋ）の各色に対応する４個の記録ヘッド３２およびインクを不溶化する固定液（Ｌ）を吐出する１個の記録ヘッド３２からなる記録ヘッドアレイ３１と、５個の記録ヘッド３２においてインクが吐出される吐出領域ＳＥを通過するように記録用紙Ｐを搬送する搬送コンベア２９とを備える。記録ヘッド３２は、圧電素子を駆動することにより、インクを滴状に吐出して印字を行うものであり、インクは本発明における吐出液に相当し、インク滴は液滴に相当する。そして記録ヘッド３２は、前記液滴吐出装置における吐出ヘッドに相当する。
【００５８】
記録ヘッド３２のノズル面３２Ｎには、インクを吐出するノズルが多数開口している。
【００５９】
記録ヘッドアレイ３１の両側には、記録ヘッド３２のメンテナンス操作を行うメンテナンスユニット３４が、各記録ヘッド３２に対応するように４個配設されている。メンテナンス時には、図２に示すように、記録ヘッドアレイ３１が上方に移動し、搬送ベルト２８との間に形成された隙間にメンテナンスユニット３４が移動して入り込む。そして、ノズル面３２Ｎに対向した状態で所定のメンテナンス動作（吸引、ダミージェット、ワイピング、キャッピングなど）を行う。
【００６０】
記録ヘッドアレイ３１の上方には、記録ヘッド３２にインクを供給するインクボトル５４が、各記録ヘッド３２に対して１個づつ、計４個設けられている、
記録ヘッドアレイ３１の上流側には、帯電ローラ３６が配置されている。帯電ローラ３６は、従動ローラ２６との間で搬送ベルト２８と用紙Ｐとを挟みつつ従動し、用紙Ｐを搬送ベルト２８に押圧する押圧位置と、搬送ベルト２８から離間した離間位置とのいずれかをとる。押圧位置においては、帯電ローラ３６と従動ローラ２６との間に所定の電位差が生じるから、用紙Ｐに電化を与えて搬送ベルト２８上に静電吸着させることができる。
【００６１】
搬送コンベア２９は、図１〜図４に示すように、駆動ローラ２４、張架ローラ２５、および従動ローラ２６と、これらのローラに張架される搬送ベルト２８とからなる。駆動ローラ２４は、用紙搬送方向ａに沿って下流側に位置する。従動ローラ２６は、搬送ベルト２８に対して用紙搬送方向ａに沿って最も上流側に位置して搬送ベルト２８を回転駆動する。
【００６２】
搬送ベルト２８は、シームレスベルトであっても、帯状体を環状に接合したシームドベルトであってもよい。
【００６３】
画像記録部３０、給紙ローラ対２０、排紙ローラ対４２、ピックアップローラ１８は中央制御コンピュータ１０によって制御される。
【００６４】
また、インクジェット記録装置１２内部の温度および湿度を測定する温湿度センサ６０が筐体１４の内部に設けられている。
【００６５】
中央制御コンピュータ１０は、記録ヘッド３２を制御する記録ヘッド制御コンピュータ１１を有する。
【００６６】
記録ヘッド制御コンピュータ１１は、図２に示すように、温湿度センサ６０で測定された温度および湿度の測定結果が一時記憶される記憶装置１１１と、記録ヘッド３２を駆動する駆動条件に関する駆動条件データが記憶されている記憶装置１１２と、記憶装置１１１および記憶装置１１２から呼び出したデータに基づいて駆動ヘッド３２を制御、駆動する駆動制御装置１１０とを有する。温湿度センサ６０、記憶装置１１２、および駆動制御装置１１０は、夫々本発明における温湿度検出手段、記憶手段、および駆動制御手段に相当する。
【００６７】
駆動制御装置１１０は、温湿度センサ６０から測定結果が入力されるとともに、入力された測定結果を記憶装置１１１に記憶させるデータ授受部１１０Ａと、記憶装置１１１から測定結果を呼び出して記憶装置１１２に記憶された駆動条件データと比較し、前記測定結果に対応する駆動条件データを記憶装置１１２から選択する解析制御装置１１０Ｂと、解析制御装置１１０Ｂで選択された駆動条件データに基づいて駆動波形を生成する波形形成装置１１０Ｃと、波形形成装置１１０Ｃで生成された駆動波形に基づいて記録ヘッド３２に駆動電圧を印加する電圧印加装置１１０Ｄとを備える。
【００６８】
記憶装置１１２に記憶された駆動条件データとしては、図３に示すように、高温（３０℃より高い）、中温（１５〜３０℃）、低温（１５℃未満）の３つの温度区分と、高湿（相対湿度７０％より高）、中湿（相対湿度２０〜７０％）、低湿（相対湿度２０％未満）の３つの湿度区分とからなる９個のマトリクスの夫々について、駆動条件Ａ〜Ｉを設定したものがある。
【００６９】
駆動条件Ａ〜Ｉとしては、駆動電圧の上下限値、初期電圧、圧電素子を駆動した後の駆動後電圧、駆動電圧を印加する周期、電圧の立上がりおよび立下りの勾配などの駆動波形を規定する諸要件の組み合わせがある。
【００７０】
駆動条件Ａ〜Ｉは、たとえば以下のように設定できる。即ち、高温に対応する駆動条件Ａ、Ｂ、Ｃ、中温に対応する駆動条件Ｄ、Ｅ、Ｆ，および低温に対応する駆動条件Ｇ、Ｈ、Ｉの夫々のグループにおいては、湿度が低い程、同一波形を印加したときの記録ヘッド３２からの吐出量が大きくなるように駆動条件が設定されている。同様に、高湿に対応する駆動条件Ａ、Ｄ、Ｇ、中湿に対応する駆動条件Ｂ、Ｅ、Ｈ、および低湿に対応する駆動条件Ｃ、Ｆ、Ｉの夫々のグループにおいては、温度が低い程、同一波形を印加したときの記録ヘッド３２からの吐出量が大きくなるように駆動条件が設定されている。ここで、中温中湿に対応する駆動条件Ｅは、常温常湿、即ち２５℃、相対湿度５０％の時の駆動条件である。
【００７１】
以下、インクジェット記録装置１２の作用について説明する。
【００７２】
インクジェット記録装置１２を起動すると、温湿度センサ６０も同時に起動される。
【００７３】
図４に示すように、データ授受部１１０Ａにおいては、温湿度センサ６０で測定された温度および湿度の測定結果を所定時間ごとにサンプリングする。
【００７４】
データ授受部１１０Ａは、温湿度センサ６０における温度測定値をサンプリングすると、記憶装置１１１に記憶させる。
【００７５】
解析制御装置１１０Ｂは、記憶装置１１１から前記温度測定値を読み出し、記憶装置１１２に記憶された駆動条件データと比較する。ここで、記憶装置１１１に記憶された温度が高温のときは、解析制御装置１１０Ｂは、図３に示すマトリクスにおいて高温に対応する駆動条件Ａ〜Ｃを選択する。同様に、解析制御装置１１０Ｂは、記憶装置１１１に記憶された温度が中温のときは、中温に対応する駆動条件Ｄ〜Ｆを選択し、記憶装置１１１に記憶された温度が低温のときは、低温に対応する駆動条件Ｇ〜Ｉを選択する。
【００７６】
このようにして解析制御装置１１０Ｂによって駆動条件が仮選択されたら、データ授受部１１０Ａは、温湿度センサ６０における湿度測定値をサンプリングして記憶装置１１１に記憶させる。
【００７７】
解析制御装置１１０Ｂは、記憶装置１１１から前記湿度測定値を読み出し、先に仮選択された駆動条件、たとえば駆動条件Ａ〜Ｃの何れが前記湿度測定値に対応するかを判定する。ここで、前記湿度測定値が、図３における高湿の範囲内であれば、駆動条件Ａ〜Ｃのうちの高湿に対応する駆動条件Ａを選択する。同様に、前記湿度測定値が中湿の範囲内であれば、駆動条件Ａ〜Ｃのうちの中湿に対応する駆動条件Ｂを選択し、前記湿度測定値が低湿の範囲内であれば、駆動条件Ａ〜Ｃのうちの低湿に対応する駆動条件Ｃを選択する。
【００７８】
このようにして駆動条件が本選択されたら、波形形成装置１１０Ｃにおいては、本選択された駆動条件に応じた波形を生成する。
【００７９】
そして、電圧印加装置１１０Ｄにおいては、波形形成装置１１０Ｃで生成された波形を電圧の時間変化データに変換して記録ヘッド３２における圧電素子駆動部に入力する。圧電素子駆動部は、入力されたデータに基づいて圧電素子に電圧を印加して圧電素子を駆動させ、ノズルからインクを吐出させる。
【００８０】
実施形態１に係るインクジェット記録装置１２においては、温湿度センサ６０で測定された温度および湿度に基づいて記憶装置１１２から最適な駆動条件を選択し、選択した駆動条件に基づいて記録ヘッド３２を駆動する。
【００８１】
具体的には、温度または湿度が高いときは、常温常湿のときに比較して同一波形を印加したときのインクヘッド３２における吐出量が小さくなり、温度または湿度が低いときは、常温常湿のときに比較してように、前記吐出量が大きくなるように駆動条件が設定される。前記駆動条件としては、たとえば駆動電圧の上下限値がある。
【００８２】
したがって、記録ヘッドアレイ３１の周囲の温度および湿度が高い場合および低い場合のいずれにおいても、常温常湿下と同様の吐出条件でインクを吐出できるから、高温高湿下においても、インク滴の径が増大してドットが大きくなり、画質が低下することが防止される。
【００８３】
また、高温高湿下で、圧電素子におけるリーク電流が増加して絶縁破壊が生じることも防止される。
【００８４】
更に、温度の測定結果に基づいて駆動条件を仮選択し、次に仮選択された駆動条件から、湿度の測定結果に基づいて駆動条件を本選択しているから、データ授受部１１０Ａにおいては、温度と湿度とを同時にサンプリングする必要がない。ここで温度は短時間で大きく変化するが、湿度は短時間では大きく変化しないから、たとえば温度については５分に１回サンプリングし、湿度については１時間に１回サンプリングするというように、湿度に比較して温度を頻繁にサンプリングすることが一般的である。前記インクジェット記録装置１２においては、このような場合においても、なんら支障なく駆動条件を選択することができる。
【００８５】
２．実施形態２
実施形態１に係るインクジェット記録装置１２においては、記録ヘッド制御コンピュータ１１の備える記憶装置１１２に、駆動条件として駆動電圧を記憶させ、これを用いて記録ヘッド３２におけるインク吐出を制御することもできる。
【００８６】
実施形態２においては、駆動条件データとして、図５に示すように、高温（３０℃より高い）、中温（１５〜３０℃）、低温（１５℃未満）の３つの温度区分と、高湿（相対湿度７０％より高）、中湿（相対湿度２０〜７０％）、低湿（相対湿度２０％未満）の３つの湿度区分とからなる９個のマトリクスの夫々について、駆動電圧が記憶されている。
【００８７】
図５に示す駆動条件データにおいては、高温に対応する行は、左から右に向かって高湿、中湿、低湿の３つの区分に分けられ、夫々駆動電圧（上限値）として１１Ｖ、１３Ｖ、１３Ｖが割り振られている。同様に、中温に対応する行および低温に対応する行も左から右に向かって高湿、中湿、低湿の３つの区分に分けられている。そして、中温に対応する行における高湿、中湿、低湿の３つの区分には、夫々駆動電圧（上限値）として１３Ｖ、１５Ｖ、１５Ｖが割り振られ、低温に対応する行における高湿、中湿、低湿の３つの区分には、夫々駆動電圧（上限値）として１５Ｖ、１５Ｖ、１７Ｖが割り振られている。
【００８８】
解析制御装置１１０Ｂは、実施形態１の場合と同様に、一時記憶された温度および湿度を記憶装置１１１から呼び出し、記憶装置１１２に記憶された図５に示すマトリクスから前記温湿度に対応する駆動電圧を呼び出す。
【００８９】
解析制御装置１１０Ｂが駆動電圧を呼び出したら、波形形成装置１１０Ｃにおいては、呼び出した駆動電圧に基づいて図６に示すような駆動波形を生成する。ここで、高温高湿時、中温中湿時（常温常湿時）、および低温低湿時を例にとって波形形成装置１１０Ｃで生成される駆動波形について説明する。
【００９０】
図６に示すように、波形形成装置１１０Ｃにおいては、高温高湿時、中温中湿時、低温低湿時の何れの場合においても、駆動電圧Ｖが、同一の初期電圧Ｖprから下限値Ｖminに向かって同一の勾配で立下り、所定時間の間下限値Ｖminで保持され、下限値Ｖminから上限値Ｖmaxに向かって同一の勾配で立ち上り、上限値Ｖmaxで所定時間保持されたあと、同一の駆動後電圧Ｖfnに向かって同一の勾配で立ち下る波形が生成される。なお、周期も同一である。
【００９１】
そして、図５に示すように、高温高湿時、中温中湿時、低温低湿時の駆動電圧は、夫々１１Ｖ、１５Ｖ、１７Ｖであるから、図６において一点鎖線、実線、および二点鎖線で示されるように、波形形成装置１１０Ｃは、高温高湿時、中温中湿時、低温低湿時の夫々について駆動電圧Ｙの上限値Ｖmaxを夫々１１Ｖ、１５Ｖ、１７Ｖと設定し、下限値Ｖminを、たとえば７Ｖ、３Ｖ、１Ｖに設定する。したがって、駆動電圧Ｙの上限値Ｖmaxについては、高温高湿時は中温中湿時よりも４Ｖ低く、低温低湿時は、中温中湿時よりも２Ｖ高く設定する。反対に、駆動電圧の下限値Ｖminについては、高温高湿時は中温中湿時よりも４Ｖ高く、低温低湿時は、中温中湿時よりも２Ｖ低く設定する。このように、高温高湿時および低温低湿時においては、駆動電圧Ｙの上限値Ｖmaxおよび下限値Ｖminの何れについても、中温中湿時に比較して同じ電圧だけ変更される。
【００９２】
波形形成装置１１０Ｃにおいて上記のように駆動波形が生成されたら、実施形態１のときと同様に、電圧印加装置１１０Ｄにおいては、波形形成装置１１０Ｃで生成された波形を電圧の時間変化データに変換して記録ヘッド３２における圧電素子駆動部に入力する。圧電素子駆動部は、入力されたデータに基づいて圧電素子に電圧を印加して圧電素子を駆動させ、ノズルからインクを吐出させる。
【００９３】
高温高湿時においては、中温中湿時に比較して駆動電圧Ｖの上限値Ｖmaxが低く、下限値Ｖminが高く設定されるから圧電素子の変異量が小さくなる。一方、低温低湿時には、中温中湿時に比較して駆動電圧Ｖの上限値Ｖmaxが高く、下限値Ｖminが低く設定されるから圧電素子の変異量が大きくなる。
【００９４】
ここで、前述のように、初期電圧Ｖpr、駆動電圧の立ち上り、立下りの勾配、および駆動後電圧Ｖfnの何れも、高温高湿時、中温中湿時、および低温低湿時の何れにおいても同一に設定されているから、圧電素子の初期変異、変異速度、およびインク吐出後の変異の何れも同一である。
【００９５】
したがって、駆動電圧の上限値Ｖmaxをより高く、下限値Ｖminをより低く設定して圧電素子の振幅を増大させれば、インクの吐出量も増大し、駆動電圧の上限値Ｖmaxをより低く、下限値Ｖminをより高く設定して圧電素子の振幅を減少させれば、インクの吐出量も減少する。
【００９６】
このように、高温高湿時においては中温中湿時よりもインク吐出量が小さくなり、低温低湿時にはインク吐出量がより大きくなるように、駆動電圧の上限値Ｖmaxおよび下限値Ｖminを設定することにより、高温高湿時および低温低湿時のいずれにおいても、常温常湿下と同様の吐出条件でインクを吐出できるから、高温高湿下においても、インク滴の径が増大してドットが大きくなり、画質が低下することが防止される。
【００９７】
また、高温高湿時および低温低湿時のいずれにおいても、駆動電圧Ｙの上限値Ｖmaxおよび下限値Ｖminを中温中湿時に比較して同じ電圧だけ変更しているから、駆動電圧Ｙとインク吐出量との関係は一定に保持される。
【００９８】
更に、波形形成装置１１０Ｃにおいては、駆動電圧Ｙの上限値Ｖmaxおよび下限値Ｖminを変更することによって異なる波形を生成させているから、波形形成装置１１０Ｃにおいて波形を生成するのに使用されるロジックは単純なものであってよい。
【００９９】
３．実施形態３
本発明に係る液滴吐出装置の一例であるインクジェット記録装置の別の例について以下に説明する。
【０１００】
実施形態３に係るインクジェット記録装置１２１は、図７に示すように、温湿度センサ６０に代え、固定液（Ｌ）を吐出する記録ヘッド３２（３２Ｌ）の圧電素子の静電容量を測定する静電容量センサ６１と、インクボトル５４内部に設けられ、インクの温度を測定するインク温度センサ６２とを備える。インク温度センサ６２は、Ｙ、Ｍ、Ｃ、Ｋの各色毎に１個づつ設けられている。以下、Ｙ色インクを収容するインクボトル５４に設けられたインク温度センサ６２をインク温度センサ６２Ｙ、Ｍ色インクを収容するインクボトル５４に設けられたインク温度センサ６２をインク温度センサ６２Ｍ、Ｃ色インクを収容するインクボトル５４に設けられたインク温度センサ６２をインク温度センサ６２Ｃ、Ｋ色インクを収容するインクボトル５４に設けられたインク温度センサ６２をインク温度センサ６２Ｋと称することがある。また、黄色（Ｙ）、マゼンタ（Ｍ）、シアン（Ｃ）、黒（Ｋ）の夫々のインクを吐出する記録ヘッド３２を以下、記録ヘッド３２Ｙ、記録ヘッド３２Ｍ、記録ヘッド３２Ｃ、記録ヘッド３２Ｋということがある。
【０１０１】
中央制御コンピュータ１０は、実施形態１と同様に駆動制御装置１１０、記憶装置１１１、記憶装置１１２を備える。そして、駆動制御装置１１０は、データ授受部１１０Ａ、解析制御装置１１０Ｂ、波形形成装置１１０Ｃ、電圧印加装置１１０Ｄを備える。
【０１０２】
しかし、図８に示すように、データ授受部１１０Ａにおいては、静電容量センサ６１およびインク温度センサ６２（６２Ｙ〜６２Ｋ）の測定結果をサンプリングする。データ授受部１１０Ａでサンプリングされた測定結果は、記憶装置１１１に一時記憶される。そして、電圧印加装置１１０Ｄにおいては、データ授受部１１０Ａにおいてインク温度センサ６２Ｙ〜６２Ｋの何れの測定結果をサンプリングしたかというデータに基づき、記録ヘッド３２Ｙ〜３２Ｋの何れを駆動するかを決定する。
【０１０３】
記憶装置１１２に記憶された駆動条件データとしては、図９に示すように、インク温度高（３０℃より高い）、インク温度中（１５〜３０℃）、インク温度低（１５℃未満）の３つのインク温度区分と、圧電素子の静電容量高（常温常湿時の静電容量より５％高い）、中（常温常湿時の静電容量と同一）、低（常温常湿時の静電容量より５％低い）の３つの静電容量区分とからなる９個のマトリクスの夫々について、駆動条件Ａ〜Ｉを設定したものがある。
【０１０４】
駆動条件Ａ〜Ｉの設定方法については実施形態１のところで述べたとおりである。
【０１０５】
なお、駆動条件Ａ〜Ｉを設定する代わりに、図１１に示すように記録ヘッド３２Ｙ〜３２Ｋにおける駆動電圧を設定してもよい。駆動電圧の設定方法については、実施形態２のところで述べたとおりである。
【０１０６】
以下、インクジェット記録装置１２の作用について説明する。
【０１０７】
インクジェット記録装置１２を起動すると、静電容量センサ６１およびインク温度センサ６２も同時に起動される。
【０１０８】
そして、図１０に示すように、データ授受部１１０Ａにおいては、静電容量センサ６１で測定された圧電素子の静電容量およびインク温度センサ６２（６２Ｙ〜６２Ｋ）で測定されたＹ〜Ｋの各色のインクの温度を所定時間ごとにサンプリングする。
【０１０９】
データ授受部１１０Ａは、これらの測定値をサンプリングすると、記憶装置１１１に記憶させる。
【０１１０】
解析制御装置１１０Ｂは、記憶装置１１１から静電容量センサ６１における静電容量の測定値を読み出し、前記測定値が、記憶装置１１２に記憶された駆動条件データにおける静電容量のどの区分に相当するかを判定する。そして、静電容量の測定値が、図９の駆動条件データにおける静電容量高の区分に相当するときは、解析制御装置１１０Ｂは、当該区分に対応する駆動条件Ａ、Ｄ、Ｇを選択する。同様に、静電容量の測定値が、図９の駆動条件データにおける静電容量中の区分に相当するときは、当該区分に対応する駆動条件Ｂ、Ｅ、Ｈを選択し、静電容量低の区分に相当するときは、当該区分に対応する駆動条件Ｃ、Ｆ、Ｉを選択する。なお、前記駆動条件Ａ〜Ｉから駆動条件を仮選択する代わりに、図１１に示すマトリクスから駆動電圧を仮選択してもよい。
【０１１１】
このようにして解析制御装置１１０Ｂによって駆動条件が仮選択されたら、データ授受部１１０Ａは、インク温度センサ６２Ｙ、６２Ｍ、６２Ｃ、６２Ｋにおけるインク温度測定値をサンプリングして記憶装置１１１に記憶させる。
【０１１２】
解析制御装置１１０Ｂは、記憶装置１１１から前記インク温度測定値を読み出し、先に仮選択された駆動条件、たとえば駆動条件Ａ、Ｄ，Ｉの何れが前記インク温度測定値に対応するかを判定する。ここで、インク温度測定値が、図９または図１１における高湿の範囲内であれば、駆動条件Ａ、Ｄ，Ｇのうちの高湿に対応する駆動条件Ａを選択する。同様に、前記インク温度測定値が中湿の範囲内であれば、駆動条件Ａ、Ｄ、Ｇのうちの中温に対応する駆動条件Ｄを選択し、前記インク温度測定値が低湿の範囲内であれば、駆動条件Ａ、Ｄ，Ｇのうちの低温に対応する駆動条件Ｇを選択する。
【０１１３】
このようにして駆動条件が本選択されたら、波形形成装置１１０Ｃにおいては、本選択された駆動条件に応じた波形を生成する。
【０１１４】
波形形成装置１１０Ｃで生成される波形としては、たとえば図１２に示すものが挙げられる。
【０１１５】
インク温度中、静電容量中の時の波形を図１２において実線Ａで示す。
【０１１６】
記録ヘッド３２の圧電素子の静電容量が大きな場合、即ち高温高湿時には、同図において二点鎖線Ｂで示すように、初期電圧Ｖpr、駆動後電圧Ｖfn、および立ち上り、立下りの勾配はそのまま保持し、下限電圧Ｖminをより高く、上限電圧Ｖmaxをより低く設定する。同様に、記録ヘッド３２の圧電素子の静電容量が小さな場合、即ち低温低湿時には、同図において破線Ｃで示すように、初期電圧Ｖpr、駆動後電圧Ｖfn、および立ち上り、立下りの勾配をそのまま保持して、下限電圧Ｖminをより低く、上限電圧Ｖmaxをより高く設定する。なお、下限電圧Ｖminと上限電圧Ｖmaxとは同じ電圧だけ変化させる。これにより、高温高湿時には圧電素子の振幅が小さくなり、低温低湿時には圧電素子の振幅は大きくなる。
【０１１７】
前記静電容量が大きくてインク温度も高い場合は、同図において一点鎖線Ｄで示すように、下限電圧Ｖminと上限電圧Ｖmaxとは静電容量が大きい場合と同一に保持し、初期電圧Ｖprおよび駆動後電圧Ｖfnをオフセットする。これにより、圧電素子の振動時の始点および終点がオフセットされて振幅が大きくなるから、インク温度が低または中のときと同様の吐出条件でインクが吐出される。
【０１１８】
このようにして波形形成装置１１０Ｃで波形が形成されたら、電圧印加装置１１０Ｄにおいては前記波形を電圧の時間変化データに変換するとともに、データ授受部１１０Ａでインク温度センサ６２Ｙ〜６２Ｋの何れの測定結果をサンプリングしたかのいうデータに基づき、記録ヘッド３２Ｙ〜３２Ｋの何れに電圧の時間変化データを入力するかを決定して前記記録ヘッド３２における圧電素子駆動部に入力する。
【０１１９】
記録ヘッド３２における圧電素子駆動部は、入力されたデータに基づいて圧電素子に電圧を印加して圧電素子を駆動させ、ノズルからインクを吐出させる。
【０１２０】
実施形態３に係るインクジェット記録装置１２においては、静電容量センサ６１で測定された記録ヘッド３２における圧電素子の静電容量、およびインク温度線さ６２Ｙ〜６２Ｋで測定されたインク温度に基づいて記憶装置１１２から最適な駆動条件を選択し、選択した駆動条件に基づいて記録ヘッド３２を駆動する。ここで、圧電素子の静電容量が高い場合は高温高湿時に、低い場合は低温低湿時に相当する。
【０１２１】
したがって、記録ヘッドアレイ３１の周囲の温度および湿度が高い場合および低い場合だけでなく、高温高湿時においてインク温度が高い場合においても、常温常湿下と同様の吐出条件でインクを吐出できる。したがって、高温高湿下だけでなく、インク温度が高い場合においても、インク滴の径が増大してドットが大きくなり、画質が低下することが防止される。
【０１２２】
また、高温高湿下で、圧電素子におけるリーク電流が増加して絶縁破壊が生じることも防止される。
【０１２３】
更に、圧電素子の静電容量の測定結果に基づいて駆動条件を仮選択し、次に仮選択された駆動条件から、インク温度の測定結果に基づいて駆動条件を本選択しているから、データ授受部１１０Ａにおいては、静電容量とインク温度とを同時にサンプリングする必要がない。ここで圧電素子の静電容量は、周囲の温湿度の変化により、比較的短時間で大きく変化するが、インク温度は、インクの熱容量が大きなため短時間では大きく変化しないから、たとえば静電容量については５分に１回サンプリングし、インク温度については１時間に１回サンプリングするというように、静電容量とインク温度とを異なるタイミングでサンプリングすることが多い。インクジェット記録装置１２１においては、このような場合においても、なんら支障なく駆動条件を選択することができる。
【０１２４】
更に、４個のインクボトル５４の夫々についてインク温度を測定し、その結果に基づいて記録ヘッド３２Ｙ〜３２Ｋの駆動条件を選択しているから、高温高湿時および低温低湿時の何れにおいてもＹ、Ｍ、Ｃ、Ｋの４色の色バランスが保持される。
【産業上の利用可能性】
【０１２５】
本発明の液滴吐出装置は、用紙にインクを吐出して印字するインクジェット記録装置だけでなく、基板上に回路を印刷する回路印刷装置も包含する。
【図面の簡単な説明】
【０１２６】
【図１】図１は、実施形態１に係るインクジェット記録装置の全体的な構成を示す概略図である。
【図２】図２は、図１に示すインクジェット記録装置の備える中央制御コンピュータの構成の概略を示すブロック図である。
【図３】図３は、図２に示す中央制御コンピュータにおける記録ヘッド制御コンピュータの記憶装置に記憶されている駆動条件データの一例を示すマトリクス図である。
【図４】図４は、前記記録ヘッド制御コンピュータにおいて、温湿度の測定結果に基づいて駆動条件を選択する手順を示す説明図である。
【図５】図５は、前記記録ヘッド制御コンピュータの記憶装置に記憶されている駆動条件データの別の例を示すマトリクス図である。
【図６】図６は、前記記録ヘッド制御コンピュータの記憶装置において生成される駆動波形の一部を示す波形図である。
【図７】図７は、実施形態３に係るインクジェット記録装置の全体的な構成を示す概略図である。
【図８】図８は、図７に示すインクジェット記録装置の備える中央制御コンピュータの構成の概略を示すブロック図である。
【図９】図９は、図８に示す中央制御コンピュータにおける記録ヘッド制御コンピュータの記憶装置に記憶されている駆動条件データの一例を示すマトリクス図である。
【図１０】図１０は、前記記録ヘッド制御コンピュータにおいて、温湿度の測定結果に基づいて駆動条件を選択する手順を示す説明図である。
【図１１】図１１は、前記記録ヘッド制御コンピュータの記憶装置に記憶されている駆動条件データの別の例を示すマトリクス図である。
【図１２】図１２は、前記記録ヘッド制御コンピュータの記憶装置において生成される駆動波形の一部を示す波形図である。
【符号の説明】
【０１２７】
１０  中央制御コンピュータ
１１  記録ヘッド制御コンピュータ
１２  インクジェット記録装置
１４  筐体
１６  給紙トレイ
１８  ピックアップローラ
２０  給紙ローラ対
２０  相対湿度
２２  給紙経路
２４  駆動ローラ
２５  張架ローラ
２６  従動ローラ
２８  搬送ベルト
２９  搬送コンベア
３０  画像記録部
３１  記録ヘッドアレイ
３２  記録ヘッド
３２Ｙ  記録ヘッド
３２Ｍ  記録ヘッド
３２Ｃ  記録ヘッド
３２Ｋ  記録ヘッド
３２Ｎ  ノズル面
３４  メンテナンスユニット
３６  帯電ローラ
５４  インクボトル
６０  温湿度センサ
６１  静電容量センサ
６２  インク温度センサ
６２Ｙ  インク温度センサ
６２Ｍ  インク温度センサ
６２Ｃ  インク温度センサ
６２Ｋ  インク温度センサ
１１０  駆動制御装置
１１０Ａ  データ授受部
１１０Ｂ  解析制御装置
１１０Ｃ  波形形成装置
１１０Ｄ  電圧印加装置
１１１  記憶装置
１１２  記憶装置
１２１  インクジェット記録装置
【図１】
2007076181.tif 000003
【図２】
2007076181.tif 000004
【図３】
2007076181.tif 000005
【図４】
2007076181.tif 000006
【図５】
2007076181.tif 000007
【図６】
2007076181.tif 000008
【図７】
2007076181.tif 000009
【図８】
2007076181.tif 000010
【図９】
2007076181.tif 000011
【図１０】
2007076181.tif 000012
【図１１】
2007076181.tif 000013
【図１２】
2007076181.tif 000014